【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】
複数のチャンネルに、デジタル・オーディオ・ビジュアル情報を送信する送信手段を備えるデジタル・テレビ・システムであって、
前記送信手段は、各チャンネルに放送される前記オーディオ・ビジュアル情報の伝送時間に、予め決められた遅延時間を与える遅延装置を含み、
少なくとも一つのチャンネルのライブ・イベント放送に関するイベント・メッセージを、少なくとも一つの他のチャンネルにリアルタイムに導入する手段をさらに備え、該イベント・メッセージが、前記イベントの発生及び前記イベントが発生するチャンネルに関する情報を含み、
前記イベント・メッセージに応答してチャンネルを変更して、視聴者に、前記イベントに対する知らせとイベントとの両方を見せることができる、デジタル・テレビ・システム。
【請求項２】
請求項１記載のデジタル・テレビ・システムに使用され、前記イベント・メッセージをリアルタイムに受信処理するデコーダであって、
デジタル・オーディオ・ビジュアル情報を含む、少なくとも一つのチャンネルのライブ・イベント放送に関するイベント・メッセージを、デジタル・オーディオ・ビジュアル情報を含む、少なくとも一つの他のチャンネルのデータストリームにおいて、リアルタイムに受信する手段を備え、前記イベント・メッセージは、前記イベントの発生及び前記イベントが発生するデジタル・オーディオ・ビジュアル情報を含むチャンネルに関する情報を含み、
スクリーン上に表示するためのアイコンを生成する手段を更に備え、前記アイコンが、前記イベント・メッセージの到来に応答して、前記イベントの発生を表示する、前記デコーダ。
【請求項３】
複数のチャンネルに、デジタル・オーディオ・ビジュアル情報を送信する方法であって、
各チャンネルに放送される前記オーディオ・ビジュアル情報の伝送時間に、予め決められた遅延時間を与えるステップと、
少なくとも一つのチャンネルのライブ・イベント放送に関するイベント・メッセージを、少なくとも一つの他のチャンネルのデータストリームにおいて、リアルタイムに導入するステップであって、該イベント・メッセージが、前記イベントの発生及び前記イベントが発生するチャンネルに関する情報を含む、該ステップと、を含み、
前記イベント・メッセージに応答してチャンネルを変更して、視聴者に、前記イベントに対する知らせとイベントとの両方を見せることができる、前記方法。
【手続補正２】
【補正対象書類名】明細書
【補正対象項目名】０００１
【補正方法】変更
【補正の内容】
【０００１】
本発明は複数のチャネルのデジタル・データストリーム内にオーディオ・ビジュアル情報を送信する送信手段を含むデジタル・テレビ・システムに関する。
【手続補正３】
【補正対象書類名】明細書
【補正対象項目名】０００２
【補正方法】変更
【補正の内容】
【０００２】
デジタル・テレビ・システムは、有料ＴＶシステムの分野において特にその確立が増大しつつある。暗号化ないしスクランブルされたオーディオ・ビジュアル情報が、普通衛星または衛星／ケーブル・リンクによって多数の契約者に送信され、各々続く視聴のために送信されたプログラムをデスクランブルできるデコーダまたは受信機／デコーダを備えている。地上デジタル放送システムも知られている。最近のシステムは、また放送リンクを使用して他のデータ、すなわち、コンピュータ・プログラムないしインタラクティブ（対話型）アプリケーションのようなオーディオ・ビジュアル・データだけでなく、あるいはこれに付加して、デコーダにまたは接続されたＰＣに送信される。
【手続補正４】
【補正対象書類名】明細書
【補正対象項目名】０００８
【補正方法】変更
【補正の内容】
【０００８】
本発明によれば、複数のチャネル上にデジタル・オーディオ・ビジュアル情報を送信する送信手段を含むデジタル・テレビ・システムであって、少なくとも一つのチャネルにおけるライブ・イベント放送に関するイベント・メッセージを実時間で、少なくとも一つの他のチャネルのデータストリームに導入する手段をさらに備え、イベント・メッセージがイベントの発生とそのイベントが発生しているチャネルに関する情報を含んでいるデジタル・テレビ・システムを提供する。
【手続補正５】
【補正対象書類名】明細書
【補正対象項目名】００１０
【補正方法】変更
【補正の内容】
【００１０】
本発明の特に有利な一つの実例において、送信手段が、チャネルの各々のオーディオ・ビジュアル情報放送の送信時間に所定の遅延を導入する遅延デバイスをさら含んでいることである。例えば、デジタル・オーディオ・ビジュアル情報が送信される前に、３０秒程ディスクまたはＲＡＭタイプのメモリ・デバイスに一時的にこれが記憶できることである。他の遅延手段が、デジタル変換が実行される前等に、アナログオーディオ・ビジュアル信号を遅延するためのアナログ・テープ・ループを含んでいる。この遅延はデコーダの下流にも導入できる。
【手続補正６】
【補正対象書類名】明細書
【補正対象項目名】００１２
【補正方法】変更
【補正の内容】
【００１２】
別の方法において、リプレイはゴールが発生するようなイベントをしばしば表していることが事実であるとすると、システムはイベント信号とオーディオ・ビジュアル・データ間の遅延なしに組み立てられる。この場合において、視聴者はイベントの後、リプレイをキャッチしたときにチャネルを変更できる。しかし、この解決策は可能であるけれども、これは視聴者にとって上述した解決策よりも決して満足できるものではない。
【手続補正７】
【補正対象書類名】明細書
【補正対象項目名】００１３
【補正方法】変更
【補正の内容】
【００１３】
実例において、イベント・メッセージを導入する手段は、オペレータによる命令に応答してイベント・メッセージを発生するように適用された簡単なＰＣのようなコンピュータまたは組み合わされたクライアント／サーバ・デバイスを含んでおり、イベント・メッセージは例えば、データ・インジェクタを介して、イベント・メッセージだけでなく各チャネルのためのオーディオ・ビジュアル情報を受信するマルチプレクサに送られる。
【手続補正８】
【補正対象書類名】明細書
【補正対象項目名】００１４
【補正方法】変更
【補正の内容】
【００１４】
実際において、オーディオ・ビジュアル・データはＭＰＥＧフォーマットでマルチプレクサに供給され、コンピュータが所定のＭＰＥＧセクションの形態にあるイベント・メッセージをマルチプレクサに送るように適用されている。
【手続補正９】
【補正対象書類名】明細書
【補正対象項目名】００１９
【補正方法】変更
【補正の内容】
【００１９】
この所定時間は、通常オーディオ・ビジュアル・データの送信ストリーム中に導入された時間遅延（もしあれば）に依存している。例えば、３０秒の遅延が送信中に導入された場合に、フラグ・イベントがイベント信号の後約３０秒続く。アプリケーションが変更チャネル命令を受信すれば、視聴者がチャネルの変更を４５秒またはそれより遅く、すなわち、イベントが表示された後で変更したいかどうかをアプリケーションが尋ねてくる。アプリケーションは、変更チャネル・メッセージかまたは遅延の開始点としてのイベント・メッセージの到着のいずれかを使用することになる。
【手続補正１０】
【補正対象書類名】明細書
【補正対象項目名】００２３
【補正方法】変更
【補正の内容】
【００２３】
好ましくは、送信手段は送信されるデジタル・データを暗号化するための暗号化手段を含み、伝送オーディオ・ビジュアル・データおよび伝送イベント・メッセージを含み、デコーダはイベント・メッセージを視聴したり処理する前に放送デジタル・データを復号化するように適用された復号化手段を備えている。
【手続補正１１】
【補正対象書類名】明細書
【補正対象項目名】００２６
【補正方法】変更
【補正の内容】
【００２６】
本発明は複数のチャネル上のデジタル・データストリーム内のオーディオ・ビジュアル情報をデジタル送信および受信する方法にも同様に延長する。
【手続補正１２】
【補正対象書類名】明細書
【補正対象項目名】００２７
【補正方法】変更
【補正の内容】
【００２７】
説明は『受信機／デコーダ』および『デコーダ』に言及しているが、本発明はデコーダと一体をなす受信機を有する実施例と等価に適用されることは理解されよう。従って、物理的に分離された受信機と結合して機能するデコーダ・ユニットであり、または実際に組み合わされたテレビ／デコーダ・デバイスのような他の機能を含むか、または他のデバイスと一体をなすデコーダも含まれる。同様にして、用語『デジタル・テレビ・システム』は、いずれの衛星、地上、ケーブル等のデジタル放送システムにも当てはまる。
特許請求の範囲と実施例との対応関係を図面で使われている参照番号で示すと次の通りである。
（１）  複数のチャンネル（４１）に、デジタル・オーディオ・ビジュアル情報を送信する送信手段（４、６）を備えるデジタル・テレビ・システムであって、
前記送信手段は、各チャンネルに放送される前記オーディオ・ビジュアル情報の伝送時間に、予め決められた遅延時間を与える遅延装置（４８）を含み、
少なくとも一つのチャンネルのライブ・イベント放送に関するイベント・メッセージを、少なくとも一つの他のチャンネルにリアルタイムに導入する手段（４４、４５）をさらに備え、該イベント・メッセージが、前記イベントの発生及び前記イベントが発生するチャンネルに関する情報を含み、
前記イベント・メッセージに応答してチャンネルを変更して、視聴者に、前記イベントに対する知らせとイベントとの両方を見せることができる、デジタル・テレビ・システム。
（２）  （１）記載のデジタル・テレビ・システムに使用され、前記イベント・メッセージをリアルタイムに受信処理するデコーダであって、
デジタル・オーディオ・ビジュアル情報を含む、少なくとも一つのチャンネルのライブ・イベント放送に関するイベント・メッセージを、デジタル・オーディオ・ビジュアル情報を含む、少なくとも一つの他のチャンネルのデータストリームにおいて、リアルタイムに受信する手段を備え、前記イベント・メッセージは、前記イベントの発生及び前記イベントが発生するデジタル・オーディオ・ビジュアル情報を含むチャンネルに関する情報を含み、
スクリーン（１４）上に表示するためのアイコンを生成する手段を更に備え、前記アイコンが、前記イベント・メッセージの到来に応答して、前記イベントの発生を表示する、前記デコーダ。
（３）  複数のチャンネルに、デジタル・オーディオ・ビジュアル情報を送信する方法であって、
各チャンネルに放送される前記オーディオ・ビジュアル情報の伝送時間に、予め決められた遅延時間を与えるステップと、
少なくとも一つのチャンネルのライブ・イベント放送に関するイベント・メッセージを、少なくとも一つの他のチャンネルのデータストリームにおいて、リアルタイムに導入するステップであって、該イベント・メッセージが、前記イベントの発生及び前記イベントが発生するチャンネルに関する情報を含む、該ステップと、を含み、
前記イベント・メッセージに応答してチャンネルを変更して、視聴者に、前記イベントに対する知らせとイベントとの両方を見せることができる、前記方法。
【手続補正１３】
【補正対象書類名】明細書
【補正対象項目名】００３１
【補正方法】変更
【補正の内容】
【００３１】
多重チャネル・システムにおいて、マルチプレクサ４が多数のパラレル・ソースから受信されたオーディオおよびビデオ情報を処理し、送信機６と相互作用し対応する多数のチャネルに沿って情報を放送する。オーディオ・ビジュアル情報に加えて、メッセージまたはアプリケーションないしいずれの他のデジタル・データが、送信されたデジタル・オーディオおよびビデオ情報と交錯されるいくつかのチャネルまたはすべてのチャネルに導入される。
【手続補正１４】
【補正対象書類名】明細書
【補正対象項目名】００３８
【補正方法】変更
【補正の内容】
【００３８】
デコーダはハンドセット式遠隔制御装置２９からの赤外線制御信号を受信する受信機２８と、デコーダに接続されたテレビ１４にオーディオ・ビジュアル信号を送信するためのペリテル（Ｐｅｒｉｔｅｌ）出力３０をさらに含んでいる。
【手続補正１５】
【補正対象書類名】明細書
【補正対象項目名】００４６
【補正方法】変更
【補正の内容】
【００４６】
図３を参照して、本発明の実施例を次に説明する。図示したように、多数のチャネル４１のためのデジタル・オーディオおよびビデオ情報は、デジタル遅延デバイス４８を介して次に続く送信のためにマルチプレクサ４に送られる。本実施例においては、オーディオ・ビジュアル情報の送信における約３０秒の時間遅延が導入される。これは、例えば、マルチプレクサに伝送する前に、デジタル信号をサーバのハードディスク等に単にストックすることによって実行できる。別の実例としては、遅延はデコーダによって受信機端で実行することができる。
【手続補正１６】
【補正対象書類名】明細書
【補正対象項目名】００４７
【補正方法】変更
【補正の内容】
【００４７】
一例において、デジタル遅延装置を通過される前に、デジタル・オーディオ・ビジュアル信号が多重化第１ステージで圧縮され多重化される。遅延後、イベント・メッセージ（以下を参照）を含む他のデータで多重化するために、信号は第２マルチプレクサに送られる。これはディスクに記憶される情報量を減じる利点があるが、信号内のエラーの危険性が増大する。
【手続補正１７】
【補正対象書類名】明細書
【補正対象項目名】００４８
【補正方法】変更
【補正の内容】
【００４８】
本実施例において、デジタル・オーディオ・ビジュアル信号が遅延され、直接マルチプレクサ４に通過される。図４において、信号のＭＰＥＧ圧縮が、図１に示したような別体の圧縮ユニットではなくマルチプレクサ４自体によって実行される。